【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
ブロードキャスト／マルチキャストサービスのためのデジタル著作権管理方法であって、
サービスドメインに参加するために、端末から要求を受信することと、
共通グループキーを用いて暗号化された１つ以上のサービス暗号化キーを、参加することを要求された前記端末に伝送することと、
前記端末が、同一のコンテンツ及びサービスを共有することを可能にすることと
を含む、方法。
【請求項２】
前記可能にするステップは、１つ以上のサービス暗号化キーを含む使用権利又はメッセージを伝送することをさらに含み、前記使用権利又はメッセージは、前記共通グループキーを用いることによって暗号化される、請求項１に記載の方法。
【請求項３】
前記サービスドメインは、少なくとも１つのサービス、又は複数のサービスを含むサービスバンドルを含む、請求項１に記載の方法。
【請求項４】
各サービスは、サービス暗号化キーを含む、請求項３に記載の方法。
【請求項５】
各サービス暗号化キーは、１つ以上のトラフィック暗号化キーを暗号化するために使用される、請求項１に記載の方法。
【請求項６】
前記トラフィック暗号化キーは、サービスデータ又は１つ以上のコンテンツを暗号化するために使用される、請求項５に記載の方法。
【請求項７】
ブロードキャスト／マルチキャストサービスのためのデジタル著作権管理方法であって、
サービスドメインに参加するために、端末から要求を受信することであって、前記端末は共通グループキーを有する、ことと、
前記端末が同一のコンテンツ及びサービスを共有することが可能であるように、前記サービスドメインに参加した端末に、前記共通グループキーを用いて暗号化された１つ以上のサービス暗号化キーを有するキーメッセージを送信することと
を含む、方法。
【請求項８】
前記キーメッセージは、使用権利である、請求項７に記載の方法。
【請求項９】
前記サービスドメインは、少なくとも１つのサービス、又は複数のサービスを含むサービスバンドルを含む、請求項７に記載の方法。
【請求項１０】
各サービスは、サービス暗号化キーを含む、請求項９に記載の方法。
【請求項１１】
各サービス暗号化キーは、１つ以上のトラフィック暗号化キーを暗号化するために使用される、請求項７に記載の方法。
【請求項１２】
前記トラフィック暗号化キーは、サービスデータ又は１つ以上のコンテンツを暗号化するために使用される、請求項１１に記載の方法。
【請求項１３】
ブロードキャスト／マルチキャストサービスのためのデジタル著作権管理方法であって、
サービスドメインに参加するとき、共通グループキーを受信することと、
１つ以上のサービス暗号化キーを含む使用権利を受信することであって、前記使用権利は前記共通グループキーを用いて暗号化されることと、
サービスデータを受信し、前記受信された使用権利を用いて前記受信されたサービスデータを復号化することと
を含む、方法。
【請求項１４】
前記サービスドメインは、少なくとも１つのサービス、又は複数のサービスを含むサービスバンドルを含む、請求項１３に記載の方法。
【請求項１５】
各サービスは、サービス暗号化キーを含む、請求項１４に記載の方法。
【請求項１６】
各サービス暗号化キーは、１つ以上のトラフィック暗号化キーを暗号化するために使用される、請求項１３に記載の方法。
【請求項１７】
前記トラフィック暗号化キーは、前記サービスデータ又は１つ以上のコンテンツを暗号化するために使用される、請求項１６に記載の方法。
【請求項１８】
ブロードキャスト／マルチキャストサービスのためのデジタル著作権管理方法であって、
端末と権利発行サーバ間で登録手順を取り決めることと、
前記端末が前記サービスドメインに参加した全ての端末に関連する共通グループキーを共有することが可能であるようにするために、前記取り決められた登録手順に基づいて、前記端末と前記権利発行サーバ間でサービスドメイン参加手順を行うことと、
前記共通グループキーを用いることによって暗号化された１つ以上のサービスデータ暗号化キーを含むことによって、前記サービスドメインを使用する権利を前記端末に提供することと、
前記サービスデータ暗号化キー及び前記共通グループキーを用いることによって、前記サービスデータの復号化を許可することによって、前記端末が前記権利発行サーバから送信されたサービスデータのコンテンツにアクセスできるようにすることと
を含む、方法。
【請求項１９】
前記提供するステップは、サービスデータ暗号化キーを、前記権利発行サーバから前記端末に送信することをさらに含み、前記サービスデータ暗号化キーはキーメッセージ暗号化キーを用いることによって暗号化されている、請求項１８に記載の方法。
【請求項２０】
ブロードキャスト／マルチキャストサービスのためのデジタル著作権管理システムであって、前記システムは、
前記ブロードキャスト／マルチキャストサービスのコンテンツを提供するように適合されたコンテンツプロバイダと、
サービスドメインに参加した全ての端末に関連する共通グループキーを共有する前記サービスドメインに参加した後、前記ブロードキャスト／マルチキャストサービスのコンテンツを受信するように適合された端末と、
前記コンテンツプロバイダ及び前記端末と協働して、前記端末が前記サービスドメインに参加することを可能にし、１つ以上のサービス暗号化キー及びトラフィック暗号化キーを用いることによって、前記コンテンツプロバイダによって提供された前記コンテンツを適切に復号化するように適合された権利発行サーバと
を含む、システム。
【請求項２１】
前記サービス暗号化キーは、ブロードキャスト／マルチキャストサーバを介して前記権利発行サーバから前記端末に伝送される、請求項２０に記載のシステム。
【請求項２２】
ブロードキャスト／マルチキャストサービスのためのデジタル著作権管理方法であって、
端末が共通グループキーを共有できるように、取り決められた登録手順に基づいて前記端末と権利発行サーバとの間でサービスドメイン参加手順を行うことと、
少なくとも１つの使用権利を前記権利発行サーバから前記端末に送信することであって、前記使用権利は、前記共通グループキーを用いることによって暗号化され、少なくとも１つのサービス暗号化キーを含む、ことと、
前記サービス暗号化キーを用いることによって暗号化されたトラフィック暗号化キーを用いて復号化を行うとき、前記端末において前記ブロードキャスト／マルチキャストサービスのコンテンツを用いることと
を含む、方法。
【請求項２３】
ブロードキャスト／マルチキャストサービスのためのデジタル著作権管理をサポートする端末であって、
信号及び情報を送受信する送受信機と、
前記送受信機と協働し、かつ、共通グループキーを有するサービスドメインに参加するために端末から要求を受信するステップと、同一のコンテンツ及びサービスを共有できるように、前記共通グループキーを用いて１つ以上のサービス暗号化キーの暗号を、前記参加要求をした端末に伝送するステップとを行うように適合されたプロセッサと
を含む、端末。
【請求項２４】
ブロードキャスト／マルチキャストサービスのためのデジタル著作権管理をサポートする端末であって、
ネットワークと信号及び情報を送受信するように適合された送受信機と、
前記送受信機と協働し、かつ、共通グループキーを共有するサービスドメインに参加するために要求を前記ネットワークに送信するステップと、前記共通グループキーを用いることによって、前記ネットワークにおいて暗号化された１つ以上のサービス暗号化キーを有するキーメッセージを受信するステップとを行うように適合されたプロセッサと
を含む、端末。
【請求項２５】
ブロードキャスト／マルチキャストサービスのためのデジタル著作権管理をサポートする端末であって、
ネットワークと信号及び情報を送受信するように適合された送受信機と、
前記送受信機と協働し、かつ、サービスドメインに参加するときに共通グループキーを受信するステップと、１つ以上のサービス暗号化キーを含む使用権利又はメッセージを受信するステップであって、前記使用権利又はメッセージは、前記共通グループキーを用いることによって暗号化されるステップと、サービスデータを受信して、前記受信された使用権利又は前記メッセージに含まれる前記１つ以上のサービス暗号化キーを用いて前記受信されたサービスデータを復号化するステップとを行うように適合されたプロセッサと
を含む、端末。
【請求項２６】
ブロードキャスト／マルチキャストサービスのためのデジタル著作権管理をサポートする端末であって、
ネットワークと信号及び情報を送受信するように適合された送受信機と、
前記送受信機と協働し、かつ、前記ネットワークの権利発行サーバと登録手順を取り決めるステップと、前記サービスドメインに参加した全ての端末に関連する共通グループキーを共有できるように、前記取り決められた登録手順に基づいて、前記権利発行サーバとサービスドメイン参加手順を行うステップと、前記共通グループキーを用いて権利発行サーバによって、暗号化された１つ以上のサービス暗号化キーを含む前記サービスドメインを使用するために権利を受信するステップと、前記サービス暗号化キー及び前記共通グループキーを用いることによる前記サービスデータのコンテンツの暗号化を行うことによって、前記権利発行サーバから送信されたサービスデータのコンテンツにアクセスするステップとを行うように適合されたプロセッサと
を含む、端末。
【請求項２７】
ブロードキャスト／マルチキャストサービスのためのデジタル著作権管理をサポートする端末であって、
権利発行サーバ及びコンテンツプロバイダサーバを有するネットワークと信号及び情報を送受信するように適合された送受信機と、
前記送受信機と協働し、かつサービスドメインに参加した全ての端末に関連する共通グループキーを共有する前記サービスドメインに参加した後、前記ブロードキャスト／マルチキャストサービスのコンテンツを受信するステップと、前記サービスドメインに参加できるように、前記権利発行サーバ及び前記コンテンツプロバイダサーバと協働するステップと、前記コンテンツプロバイダサーバから提供された前記コンテンツをサービス暗号化キー及びトラフィック暗号化キーを用いることによって適切に復号化するステップとを行うように適合されたプロセッサと
を含む、端末。
【請求項２８】
ブロードキャスト／マルチキャストサービスのためのデジタル著作権管理をサポートする端末であって、
ネットワークと信号及び情報を送受信するように適合された送受信機と、
前記送受信機と協働し、かつ、共通グループキーを共有できるように、取り決められた登録手順に基づいて、権利発行サーバとサービスドメイン参加手順を行うステップと、前記権利発行サーバから少なくとも１つの使用権利を受信するステップであって、前記使用権利は、共通グループキーを用いて権利発行サーバによって暗号化され、少なくとも１つの暗号化キーを含む、ステップと、前記サービス暗号化キーを用いることによって暗号化されたトラフィック暗号化キーを用いることによって復号化を行うとき、前記ブロードキャスト／マルチキャストサービスのコンテンツを用いるステップとを行うように適合されたプロセッサと
を含む、端末。
【請求項２９】
権利発行サーバによって、同一の使用権利と前記使用権利を復号化するための暗号化キーを端末に伝送するステップと、
前記端末によって、前記伝送された使用権利及び暗号化キーを利用してブロードキャスト／マルチキャストサーバから受信された暗号化されたサービスデータ又はコンテンツを復号化するステップと
を含む、デジタル著作権管理方法。
【請求項３０】
前記使用権利は、同一のサービスを用いる一群の端末に割り当てられたサービスドメイン使用権利を示す、請求項２９に記載のデジタル著作権管理方法。
【請求項３１】
前記サービスバンドルは、パッケージタイプとして構成された１つ以上のサービスを端末に提供するためのサービスである、請求項３０に記載のデジタル著作権管理方法。
【請求項３２】
前記暗号化キーは、前記使用権利を暗号化するために使用されるドメインキーを示し、同一のドメインに属する端末により共有される、請求項２９に記載のデジタル著作権管理方法。
【請求項３３】
権利発行サーバによって、登録を要求する特定の端末から公開キーを受信することと、
前記端末が特定のドメインへの加入を要求するときに、前記権利発行サーバから前記端末に、対応するドメインに対するドメインキーを伝送することと、
前記権利発行サーバから前記端末に、前記ドメインに提供されたサービスデータに対するドメイン使用権利を伝送することと
を含む、デジタル著作権管理方法。
【請求項３４】
前記ドメインキーは、前記端末の公開キーを用いて暗号化される、請求項３３に記載のデジタル著作権管理方法。
【請求項３５】
前記ドメイン使用権利は、前記ドメインキーを用いて暗号化される、請求項３３に記載のデジタル著作権管理方法。
【請求項３６】
前記ドメイン使用権利を伝送することは、
前記端末がサービスドメインに加入した場合、前記サービスドメインに対するサービスドメイン使用権利を伝送することを含む、請求項３３に記載のデジタル著作権管理方法。
【請求項３７】
前記ドメイン使用権利は、前記暗号化されたサービスデータを復号化するためのサービスデータ暗号化キーを含む、請求項３３に記載のデジタル著作権管理方法。
【請求項３８】
前記暗号化されたサービスデータを復号化するためのサービスデータ暗号化キーを前記権利発行サーバから前記端末に伝送することをさらに含む、請求項３３に記載のデジタル著作権管理方法。
【請求項３９】
前記サービスデータ暗号化キーは、他の暗号化キーを用いて暗号化される、請求項３８に記載のデジタル著作権管理方法。
【請求項４０】
前記他の暗号化キーは、前記ドメイン使用権利に含まれる、請求項３９に記載のデジタル著作権管理方法。
【請求項４１】
権利発行サーバによって、端末から登録要求及び公開キーを受信することと、
前記端末が特定のサービスドメインへの加入を要求する場合、対応するサービスドメインに対するドメインキーを、前記権利発行サーバから前記端末に伝送することと、
前記権利発行サーバによって、前記ドメインキーを用いて、前記サービスドメインに対する使用権利を暗号化して、前記暗号化された使用権利を前記端末に伝送することと
を含む、デジタル著作権管理方法。
【請求項４２】
前記ドメインキーは、前記端末の公開キーを用いて暗号化される、請求項４１に記載のデジタル著作権管理方法。
【請求項４３】
前記権利発行サーバは、同一のドメインキー及び同一のサービスドメイン使用権利を同一のドメインに属する全ての端末に伝送する、請求項４１に記載のデジタル著作権管理方法。
【請求項４４】
前記サービスドメイン使用権利は、前記サービスドメインに提供されたサービスデータを復号化するためのサービスデータ暗号化キーを含む、請求項４１に記載のデジタル著作権管理方法。
【請求項４５】
権利発行サーバによって、特定の端末から登録要求を受信することと、
前記権利発行サーバが前記端末から特定のサービスドメインに対する加入要求を受信した場合、公開キーを用いて前記サービスドメインに対する共通グループキーを暗号化して、前記暗号化された共通グループキーを前記端末に伝送することと、
前記権利発行サーバによって、前記共通グループキーを用いて前記サービスドメインに対する使用権利を暗号化して、前記暗号化された使用権利を前記端末に伝送することと、
前記権利発行サーバによって、他のキーを用いて前記サービスドメインに提供されたサービスデータを暗号化するためのサービス暗号化キーを暗号化して、前記暗号化されたサービス暗号化キーを前記端末に伝送することと、
を含む、デジタル著作権管理方法。
【請求項４６】
前記使用権利は、前記他のキーを含む、請求項４５に記載のデジタル著作権管理方法。
【請求項４７】
前記他のキーは、キーメッセージ暗号化キーである、請求項４５に記載のデジタル著作権管理方法。
【請求項４８】
１つ以上の端末に同一のサービスデータを提供するためのブロードキャスト／マルチキャストサービスにおけるデジタル著作権管理方法であって、
登録を要求するために、端末によって、権利発行サーバに端末自身の暗号化キーを伝送することと、
前記端末によって、特定のドメインに加入し、前記権利発行サーバから前記ドメインに対するドメインキーを受信することと、
前記端末によって、前記権利発行サーバから前記ドメインキーを用いて暗号化された使用権利を取得することと、
前記端末が暗号化されたサービスデータを受信するときに、前記サービスデータを復号化するためのサービスデータ暗号化キーを有しているか否かを確認することと、
前記端末が前記サービス暗号化キーを有している場合、前記サービス暗号化キーを検出し、前記サービスデータを復号化することと
を含む、方法。
【請求項４９】
前記ドメインキーは、前記端末の公開キーを用いて暗号化される、請求項４８に記載の方法。
【請求項５０】
前記端末によってドメイン使用権利を取得することは、
前記端末が加入したドメインがサービスドメインである場合、対応するサービスドメインに対するサービスドメイン使用権利を取得することを含む、請求項４８に記載の方法。
【請求項５１】
前記ドメイン使用権利は、サービスデータ暗号化キーを含む、請求項４８に記載の方法。
【請求項５２】
前記端末によって他のキーを用いて暗号化されたサービスデータ暗号化キーを受信することをさらに含む、請求項４８に記載の方法。
【請求項５３】
前記他のキーは、前記ドメイン使用権利に含まれる、請求項５２に記載の方法。
【請求項５４】
前記他のキーは、キーメッセージ暗号化キーである、請求項５２に記載の方法。
【請求項５５】
前記サービスデータを復号化することは、
前記サービスデータ暗号化キーを検出することと、
前記サービスデータ暗号化キーがドメインキーを用いて暗号化された場合、前記ドメインキーを検出することと、
前記検出されたドメインキーを暗号化するために用いられる公開キーを検出することと、
前記検出された公開キーを用いて前記ドメインキーを復号化することと、
前記復号化されたドメインキーを用いて前記サービスデータ暗号化キーを復号化することと、
前記復号化されたサービスデータ暗号化キーを用いて前記サービスデータを復号化することと
を含む、請求項４８に記載の方法。
【請求項５６】
前記サービスデータを復号化することは、
前記サービスデータ暗号化キーを検出することと、
前記サービスデータ暗号化キーが他のキーを用いて暗号化され、前記他のキーが前記ドメイン使用権利に含まれている場合、前記他のキーを検出することと、
前記他のキーが暗号化されている前記ドメインキーを検出することと、
前記検出されたドメインキーを暗号化するために用いられる公開キーを検出することと、
前記検出された公開キーを用いて前記ドメインキーを復号化することと、
前記復号化されたドメインキーを用いて前記他のキーを復号化することと、
前記復号化された他のキーを用いて前記サービスデータ暗号化キーを復号化することと、
前記復号化されたサービスデータ暗号化キーを用いて前記サービスデータを復号化することと
を含む、請求項４８に記載の方法。
【請求項５７】
ブロードキャスト／マルチキャストサービスのためのデジタル著作権管理方法であって、
権利発行サーバから、前記共通グループキーを有するサービスドメインに参加した端末に少なくとも１つの使用権利を送信することであって、前記使用権利は、前記共通グループキーを用いることによって暗号化され、少なくとも１つのサービス暗号化キーを含む、ことと、
前記端末が同一のコンテンツ及びサービスを共有できるようにすることと
を含む、方法。
【請求項５８】
前記コンテンツ及びサービスは、前記サービスドメイン内の１つ以上の他の端末と共有される、請求項１に記載の方法。
【請求項５９】
前記端末は、前記サービスドメインに参加した後に、サービスドメインキーを有する、請求項１に記載の方法。
【請求項６０】
前記コンテンツは同一のコンテンツであり、前記サービスは同一のサービスである、請求項１に記載の方法。
【請求項６１】
前記サービスドメインはブロードキャストドメインであり、前記ブロードバンドドメインは、１つのサービス、又は複数のサービスを有するサービスバンドルに加入する端末の集合である、請求項１に記載の方法。
【請求項６２】
前記サービスドメインは、加入者グループ管理及びドメイン管理のうちの少なくとも１つを実装するメカニズムである、請求項６１に記載の方法。
【請求項６３】
前記サービスドメイン内の前記端末は、サービスドメインキーと呼ばれる共通グループキーを共有する、請求項６１に記載の方法。
【請求項６４】
１つ以上のサービス暗号化キー（ＳＥＫ）又はプログラム暗号化キー（ＰＥＫ）が、同一のドメインキーを用いて暗号化される、請求項６３に記載の方法。
【請求項６５】
前記サービスドメイン内の前記端末は、コンテンツプロバイダ又はサービスプロバイダによって特定された許可を受ける、前記サービスドメイン内の少なくとも１つの他の装置と同一のコンテンツ及び同一のサービスを共有することが可能である、請求項１に記載の方法。
【請求項６６】
サービスドメイン参加／脱退動作は、第１層の定義が端末登録及びドメイン管理を含む、ＯＭＡ  ＢＣＡＳＴ  ＡＤの４層キー階層モデルに従う、請求項１に記載の方法。
【請求項６７】
前記コンテンツ及びサービスは、前記サービスドメイン内の１つ以上の他の端末と共有される、請求項７に記載の方法。
【請求項６８】
前記共通グループキーはサービスドメインキーである、請求項７に記載の方法。
【請求項６９】
前記コンテンツは同一のコンテンツであり、前記サービスは同一のサービスである、請求項７に記載の方法。
【請求項７０】
前記共通グループキーはサービスドメインキーである、請求項１８に記載の方法。
【請求項７１】
前記共通グループキーはサービスドメインキーである、請求項２２に記載の方法。
【請求項７２】
前記プロセッサは、前記サービスドメイン内の少なくとも１つの他の端末とコンテンツ及びサービスの共有が可能である、請求項２４に記載の方法。
【請求項７３】
前記コンテンツ及びサービスが前記サービスドメイン内の１つ以上の他の端末と共有される、請求項５７に記載の方法。